(57)【特許請求の範囲】
【請求項１】
紙葉を上下に区画する第１折線を備えた第１紙葉と、紙葉を上下に区画する折線を備え第１紙葉より左右寸法が小さい第２紙葉を、左右方向の端縁のうちの一方の端縁を揃え、且つ、第１紙葉の第１折線及び第２紙葉の折線が重なるように重ね合わせて接着される構成の印刷物であって、
前記第１紙葉には前記第１紙葉の上下方向の端縁のうちの一方の端縁と前記第１紙葉の前記第１折線との間に上下方向に第２折線が形成されており、
前記第１紙葉と前記第２紙葉を重ね合わせた部分にコの字状接着部が形成され、前記コの字状接着部と前記第２紙葉の左右方向の端縁のうちの他方の端縁とで囲まれた領域が前記第１紙葉と前記第２紙葉が接着されておらず前記第１紙葉と前記第２紙葉とにより収納部が形成されていることを特徴とする収納部を備えた印刷物。
【請求項２】
前記第１紙葉の片面または両面に印字可能な領域を備えていることを特徴とする請求項１に記載の収納部を備えた印刷物。
【請求項３】
前記コの字状接着部は接着剤が塗布された塗布部と接着剤が塗布されていない非塗布部からなり塗布部または非塗布部がドットで形成されていることを特徴とする請求項１または請求項２に記載の収納部を備えた印刷物。
【請求項４】
前記第１紙葉と前記第２紙葉が左右方向の端縁のうちの前記一方の端縁で連接していることを特徴とする請求項１乃至請求項３のいずれかに記載の収納部を備えた印刷物。
【請求項５】
前記収納部にホテル用カードキーが収納されることを特徴とする請求項１乃至請求項４のいずれかに記載の収納部を備えた印刷物。
【発明の詳細な説明】
【技術分野】
【０００１】
本発明は、顧客が受け取ったブックレット・パンフレット・リーフレット等の印刷物に入場券・優待券・旅券等のカードやホテルに宿泊する宿泊客が受け取った宿泊ルームの錠を開閉するキーの代わりに用いるカードキー等が収納される収納部を備えた印刷物に関するものである。
【背景技術】
【０００２】
従来、顧客が入場券、優待券、旅券等のカードを受け取った際、同時にブックレット、パンフレット、リーフレット等の印刷物が別体として配布されることが多い。顧客の手荷物が多い場合には別体で手渡されると煩わしいものである。
特に、ホテルに宿泊する場合、宿泊案内用のブックレット等の印刷物と、ルームキーが別々に渡されるので宿泊の手荷物が多い場合、宿泊者にとって、煩わしいものとなっていた。近年、ルームキーに代わり１回限りのキーとしてカードキーが多くのホテルで採用されている（例えば、特許文献１、特許文献２）。カードキーの採用によりホテルにとっては再発行コストが安く、宿泊客にとっては持ち運びが便利なものとなったが、やはり、印刷物とカードキーが別体で渡されるのでカードキーまたは印刷物を落としたり、あるいは手荷物に紛れ込んだりしていずれかを紛失してしまうという問題がある。
【先行技術文献】
【特許文献】
【０００３】
【特許文献１】特公平６−６６０７８号公報
【特許文献２】特開平８−２０２７７６号公報
【発明の概要】
【発明が解決しようとする課題】
【０００４】
そこで本発明は、上記問題を解決すべくなされたものであり、その目的とするところは顧客が受け取った印刷物にカードやカードキーが収納される収納部を備え、印刷物とカードやカードキーを一体にして持ち運びできる収納部を備えた印刷物を提供することである。
【課題を解決するための手段】
【０００５】
本発明は、上記課題を達成するために、請求項１記載の本発明は、紙葉を上下に区画する第１折線を備えた第１紙葉と、紙葉を上下に区画する折線を備え第１紙葉より左右寸法が小さい第２紙葉を、第１紙葉及び第２紙葉の左右方向の端縁のうちの一方の端縁を揃え、且つ、第１紙葉の第１折線及び第２紙葉の折線が重なるように重ね合わせて接着される構成の印刷物であって、前記第１紙葉には前記第１紙葉の上下方向の端縁のうちの一方の端縁と前記第１紙葉の前記第１折線との間に上下方向に第２折線が形成されており、前記第１紙葉と前記第２紙葉を重ね合わせた部分にコの字状接着部が形成され、前記コの字状接着部の端縁と前記第２紙葉の左右方向の端縁のうちの他方の端縁とで囲まれた領域が前記第１紙葉と前記第２紙葉が接着されておらず前記第１紙葉と前記第２紙葉とにより収納部が形成されていることを特徴とする収納部を備えた印刷物である。
【０００６】
また、請求項２記載の本発明は、請求項１に記載の収納部を備えた印刷物において、前記第１紙葉の片面または両面に印字可能な領域を備えていることを特徴とするものである。
【０００７】
また、請求項３記載の本発明は、請求項１または請求項２に記載の収納部を備えた印刷物において、前記コの字状接着部は接着剤が塗布された塗布部と接着剤が塗布されていない非塗布部とからなり前記塗布部または前記非塗布部がドットで形成されていることを特徴とするものである。
【０００８】
また、請求項４記載の本発明は、請求項１乃至請求項３のいずれかに記載の収納部を備えた印刷物において、前記第１紙葉と前記第２紙葉が左右方向の端縁のうちの前記一方の端縁で連接していることを特徴とする。請求項１または請求項２に記載の収納部を備えた印刷物において、前記コの字状接着部は接着剤が塗布された塗布部と接着剤が塗布されていない非塗布部からなり塗布部または非塗布部がドットで形成されていることを特徴とするものである。
【０００９】
また、請求項５記載の本発明は、請求項１乃至請求項４のいずれかに記載の収納部を備えた印刷物において、前記収納部にホテル用カードキーが収納されることを特徴とするものである。
【発明の効果】
【００１０】
本発明の収納部を備えた印刷物は、紙葉を上下に区画する第１折線を備えた第１紙葉と、紙葉を上下に区画する折線を備え第１紙葉より左右寸法が小さい第２紙葉を、第１紙葉及び第２紙葉の左右方向の端縁のうちの一方の端縁を揃え、且つ、第１紙葉の第１折線及び第２紙葉の折線が重なるように重ね合わせて接着される構成の印刷物であって、前記第１紙葉と前記第２紙葉を重ね合わせた部分にコの字状接着部が形成され、前記コの字状接着部の端縁と前記第２紙葉の左右方向の端縁のうちの他方の端縁とで囲まれた領域が前記第１紙葉と前記第２紙葉が接着されておらず前記第１紙葉と前記第２紙葉とにより収納部が形成されている構成とすることにより、印刷物の収納部にカードやカードキーを収納し一体にできるのでカードやカードキーまたは印刷物の紛失が防止できる。
前記第１紙葉には前記第１紙葉の上下方向の端縁のうちの一方の端縁と前記第１紙葉の前記第１折線との間に上下方向に第２折線が形成されている構成とすることにより、第１折線で印刷物を上下に切り取ることができ、切り取られた第２折線を含む印刷物の方に収納部を形成することにより、カードやカードキーのみを収納して持ち運ぶことができる。また、第２折線で折り曲げることにより収納部に収納されたカードやカードキーに蓋をすることができ、脱落防止、破損防止等が図れる。また、第２折線に対し収納部と反対側の印刷物に例えば、宿泊客の朝食券等の優待情報の記載領域とすることにより第２折線で切り取って優待情報のみを持ち運べるので宿泊客に利便性を供与できる。
【００１１】
また、請求項２記載の本発明は、前記第１紙葉の片面または両面に印字可能な領域を備えているので、例えば、宿泊客がチェックインするときに宿泊者名、宿泊ルーム番号等の個人情報をその場でプリンターで印字できる。さらに、朝食券等の優待情報もプリンターで印字できる。
【００１２】
また、請求項３記載の本発明は、前記コの字状接着部は接着剤が塗布された塗布部と接着剤が塗布されていない非塗布部とからなり前記塗布部または前記非塗布部がドットで形成されている構成とすることにより、第１紙葉に第２紙葉を重ね合わせて接着した部分のカール防止が図れる。また、接着剤の使用量も低減できる。
【００１３】
また、請求項４記載の本発明は、前記第１紙葉と前記第２紙葉が左右方向の端縁のうちの前記一方の端縁で連接している構成とすることにより、一枚の紙葉で第１紙葉と第２紙葉を形成することができる。また、請求項５記載の本発明は、収納部にホテル用カードキーを収納できる構成としたので手荷物の多い宿泊客であっても、持ち運びが便利で、しかもカードキーまたは印刷物の紛失防止が図れる。
【図面の簡単な説明】
【００１４】
【図１】本発明に係る収納部を備えた印刷物の一実施形態を示す第２紙葉を上にした平面図である。
【図２】本発明に係る収納部を備えた印刷物の一実施形態を示す第１紙葉を上にした平面図である。
【図３】本発明に係る収納部を備えた印刷物の一実施形態を示す断面図であって、（イ）は図１のＸ−Ｘ線断面図、（ロ）は図１のＹ−Ｙ線断面図である。
【図４】本発明に係る収納部を備えた印刷物の使用方法の一例を示す説明図である。
【発明を実施するための形態】
【００１５】
上記の本発明について、図面等を用いて以下に詳述する。
図１は本発明に係る収納部を備えた印刷物の一実施形態を示す第２紙葉を上にした平面図、図２は本発明に係る収納部を備えた印刷物の一実施形態を示す第１紙葉を上にした平面図、図３は本発明に係る収納部を備えた印刷物の一実施形態を示す断面図であって、（イ）は図１のＸ−Ｘ線断面図、（ロ）は図１のＹ−Ｙ線断面図、図４は本発明に係る収納部を備えた印刷物の使用方法の一例を示す説明図であり、図中の１は収納部を備えた印刷物、１０は第１紙葉、１０Ｒは第１紙葉の左右方向の一方の端縁、１０Ｌは第１紙葉の左右方向の他方の端縁、１０Ｄは第１紙葉の上下方向の一方の端縁、１０Ｕは第１紙葉の上下方向の他方の端縁、１１は第１折線、１２は第２折線、１３、１４は印字可能な領域、１５は固定情報、２０は第２紙葉、２０Ｒは第２紙葉の左右方向の一方の端縁、２０Ｌは第２紙葉の左右方向の他方の端縁、２０Ｄは第２紙葉の上下方向の一方の端縁、２０Ｕは第２紙葉の上下方向の他方の端縁、２１は折線、３０はコの字状接着部、３１は接着剤が塗布された塗布部、３２は接着剤が塗布されていない非塗布部、３１ａはドット、４０は収納部、５０はホテル用カードキーをそれぞれ示す。
【００１６】
図１、図２は本発明に係る収納部を備えた印刷物の一実施形態を示す平面図であって、図１は第２紙葉を上にした平面図、図２は第１紙葉を上にした平面図である。図１に示すように本発明の収納部を備えた印刷物１は、縦長の長方形状の第１紙葉１０と第２紙葉２０とからなり、第１紙葉１０は通常Ｂ５〜Ａ３サイズの大きさであり、第２紙葉２０は第１紙葉１０より左右寸法が小さく、上下寸法は第１紙葉１０と同じである。第１紙葉１０には第１紙葉１０を上下に区画する第１折線１１が左右方向に設けられ、第２紙葉２０には第２紙葉２０を上下に区画する折線２１が左右方向に設けられ、第１紙葉１０の左右方向の端縁のうちの一方の端縁１０Ｒと、第２紙葉２０の左右方向の端縁のうちの一方の端縁２０Ｒを揃え、且つ、第１紙葉１０の第１折線１１及び第２紙葉２０の折線２１が重なるように重ね合わせて接着されている。
【００１７】
また、第１紙葉１０には第１紙葉１０の上下方向の端縁のうちの一方の端縁１０Ｄと第１折線１１との間に上下方向に第２折線１２が形成されている。第２折線は第１紙葉１０の左右方向の略中央に第２紙葉２０と重ならない位置に形成されており、第１折線１１と第２折線１２で区画された左下側の領域には印字可能な領域１３が設けられており、右下側の領域にカードやカードキーが収納される収納部４０が形成されている。第１折線１１及び第２折線１２は、切り取り可能なミシン目で形成することが好ましい。第１折線１１より上側の領域には、例えば、ホテル周辺地図等の固定情報１５が記載されている。印字可能な領域１３には例えば宿泊者がチェックイン時、受付で朝食券等がプリンターで印字される。なお、印字可能な領域１３は固定情報として予め印刷されていてもよい。
【００１８】
図１に示すように、第１紙葉１０と第２紙葉２０を重ね合わせた部分の折線２１より下側にカードやカードキーが収納される収納部４０が形成されている。収納部４０は、コの字状接着部３０で第１紙葉１０と第２紙葉２０を重ね合わせて接着されている。収納部４０の大きさはカードやカードキーが入る大きさに形成されているが、左右方向の寸法はカードやカードキーの寸法より小さくして取り出しやすいように形成するのがよい。コの字状接着部３０の上側部分は第１紙葉１０の上下方向の他方の端縁１０Ｕ及び第２紙葉２０の上下方向の他方の端縁２０Ｕまで延設されており、折線２１より上側全体の第２紙葉２０が第１紙葉１０と接着されている。
【００１９】
コの字状接着部３０は図１の円内に拡大して示すように接着剤が塗布された塗布部３１と接着剤が塗布されていない非塗布部３２からなり接着剤が塗布された塗布部３１がドットで形成されている。接着剤が塗布された塗布部３１がドットで形成される場合、ドットは直径ないし長径が１ｍｍ以上の大きさにすることが好ましい。１ｍｍ未満では接着力が弱くなり、カードやカードキーを収納するときにコの字状接着部３０、特に収納部４０の左右方向の一方の端縁のコの字状接着部３０が剥離することがある。ドットの形状は特に限定されるものではなく、円形、楕円形、矩形、台形、菱形、星形、多角形等、あるいはこれらを２種以上組み合わせたものでもよい。ドットパターンは規則性あるいは不規則性のいずれでもよいが規則性を有する方が好ましい。塗布面積は紙葉の種類、坪量等を勘案し適宜設定される。接着剤を全面に塗布せず部分的に塗布することが重要であり、そうすることにより、接着剤の塗布面積を少なくすることができるので第１紙葉１０に第２紙葉２０を重ね合わせて接着した部分のカール防止が図れる。なお、非塗布部３２をドットで形成することもできる。
【００２０】
また、第２紙葉２０の表面には例えばホテルの最寄駅やホテル周辺施設の情報が固定情報１５として印刷されている。
【００２１】
第１紙葉１０の第２紙葉２０を重ね合わせた面とは反対側の面には、図２に示すように第１折線１１より上側の領域には食事の案内等に関する固定情報１５が日本語と英語等で併記して印刷されている。また、第１折線１１と第２折線１２で区画された右下側部分には印字可能な領域１４が備えられており、宿泊客がチェックインの際、受付で宿泊客の氏名や宿泊ルーム番号や感謝の言葉等の個人情報がプリンターで印字されている。また、第１折線１１と第２折線１２で区画された左下側部分には注意事項等の固定情報１５が予め印刷されている。
【００２２】
図３は本発明に係る収納部を備えた印刷物１の一実施形態を示す断面図である。図３（イ）、（ロ）に示すように第１紙葉１０と、第２紙葉２０が左右方向の端縁のうちの一方の端縁１０Ｒ、２０Ｒ、及び上下方向の両端縁を揃え、且つ、第１紙葉１０の第１折線１１及び第２紙葉２０の折線２１が重なるように重ね合わせてコの字状接着部３０で接着されている。
収納部４０は、第１紙葉１０と第２紙葉２０を重ね合わせ、コの字状接着部３０の端縁と第２紙葉２０の左右方向の端縁のうちの他方の端縁２０Ｌとで囲まれた領域が第１紙葉１０と第２紙葉２０が接着されておらず、ポケットとされ、カードやカードキーの収納が可能となる。
【００２３】
第２紙葉２０の左右寸法はカードキー５０（図４参照）を収納部４０に収納したとき、少なくともカードキー５０が指で摘まめる寸法にすることが好ましい。
【００２４】
つぎに図１、図４を参照しながら本発明に係る収納部を備えた印刷物１の使用方法の一例を説明する。
図１に示すように宿泊客はホテルの受付でチェックイン手続を終えると個人情報がプリンターにより印字された収納部を備えた印刷物１とホテル用カードキー５０を受け取る。宿泊客は受け取ったホテル用カードキー５０を収納部を備えた印刷物１の収納部４０に収納し手荷物と共に持ち運び印字された宿泊ルームに行き、ホテル用カードキー５０を取り出し、開錠することにより入室する。印刷物１とホテル用カードキー５０とを一体とできるので手荷物の多い宿泊客にとって便利なものとなり、また、カードキーの紛失が防止できる。
【００２５】
図４に示すように宿泊客は収納部を備えた印刷物１を第１折線１１で上下に切り離し、ホテルの案内や周辺情報の記載された上部をパンフレットとして利用する。また、第２折線１２で左下部分を切り取ることができるので印字可能な領域１３に印字された朝食券等の優待情報のみ持ち運べるので便利である。また切り取らない場合にはカードキー５０を収納部４０に収納した後、第２折線１２で折り曲げて右下部分に重ねることで収納部４０の蓋になるので持ち運ぶ際、カードキー５０の脱落が防げる。
【００２６】
第１紙葉１０、第２紙葉２０には一般にブックレットやパンフレットやリーフレットに使用される用紙が使用され、その坪量は通常５２．３ｇ／ｍ2 〜１５７．０ｇ／ｍ2 である。
【００２７】
本発明の収納部を備えた印刷物１の製造方法は、図示はしないが、収納部を備えた印刷物１を構成する第１紙葉１０には両面に顧客に伝えたい情報、あるいは、朝食券、サービス券等の種々の固定情報１５が予め印刷等により設けられ、第２紙葉２０には片面に第１紙葉１０と同様に固定情報１５が予め印刷等により設けられている。これらの印刷は、通常、それぞれの紙葉毎に行われる。そして、これらの第１紙葉１０は、印刷等の製造時においては、図１のシートが上下方向にそれぞれ連続したロールで、かつ、左右方向の両端縁には、移送孔を有するマージナル部が設けられている。第２紙葉２０は、印刷等の製造時においては、図１のシートが上下方向にそれぞれ連続したロールで、かつ、左右方向の一方の端縁には、移送孔を有するマージナル部が設けられ、この移送孔でロールが連続的に送られるようになっている。また、第１折線１１、第２折線１２は第１紙葉１０の印刷時に、折線２１は第２紙葉２０の印刷時に印刷絵柄と同期して所定の位置に形成される。
【００２８】
印刷後、図示しないが第１紙葉１０の上に第２紙葉２０が所定位置に重なるようにそれぞれのロールが配置され、それぞれの移送孔が丁合機のトラクタピンと係合し、第１紙葉１０の第２紙葉２０側の面に所定のドットがパターンで形成された樹脂版を用いてエマルジョン接着剤を所定位置にパターンコートすると共に第１紙葉１０と第２紙葉２０とがそれぞれ正確に位置合せがされ、一方の端縁で揃えられコの字状接着部３０で接着される。その後にマージナル部がスリットして取り除かれると共に図１における上下方向が所定寸法に裁断されて図１に示すような収納部を備えた印刷物１を得ることができる。
なお、第１紙葉１０と第２紙葉２０は別々のロールで製造する例に限定されるものではなく、１枚の紙葉のロールで第１紙葉及び第２紙葉の左右方向の一方の端縁に相当する位置で折り返すことにより製造することもできる。このようにして製造される収納部を備えた印刷物は第１紙葉１０の左右方向の一方の端縁１０Ｒと第２紙葉２０の左右方向の一方の端縁２０Ｒが端縁で連接した構成となる。
【００２９】
一実施形態では収納部４０にホテル用カードキー５０が収納される例を中心に説明したがカードキーに拘らず、顧客が印刷物と同時に受け取る例えば入場券、優待券、旅券等のカードを収納する収納部を備えた印刷物にも利用できる。
【符号の説明】
【００３０】
１            収納部を備えた印刷物
１０          第１紙葉
１０Ｒ        第１紙葉の左右方向の一方の端縁
１０Ｌ        第１紙葉の左右方向の他方の端縁
１０Ｄ        第１紙葉の上下方向の一方の端縁
１０Ｕ        第１紙葉の上下方向の他方の端縁
１１          第１折線
１２          第２折線
１３、１４    印字可能な領域
１５          固定情報
２０          第２紙葉
２０Ｒ        第２紙葉の左右方向の一方の端縁
２０Ｌ        第２紙葉の左右方向の他方の端縁
２０Ｄ        第２紙葉の上下方向の一方の端縁
２０Ｕ        第２紙葉の上下方向の他方の端縁
２１          折線
３０          コの字状接着部
３１          接着剤が塗布された塗布部
３２          接着剤が塗布されていない非塗布部
４０          収納部
５０          ホテル用カードキー
【図１】
0006350017.tif 000002
【図２】
0006350017.tif 000003
【図３】
0006350017.tif 000004
【図４】
0006350017.tif 000005